(57)【要約】      （修正有）【課題】構成が簡単で発光体の取付や交換が容易なエレベータのセフティシューを備えるエレベータ装置を提供する。【解決手段】かご側ドア５にセフティシュー８が設けられるエレベータ装置において、かご側ドア５の前縁より突出したセフティシュー８の先端部分に発光部１０を備え、発光部１０は分割可能である。また、光源の発光色を複数用いたり、発光タイミングを制御可能にして点滅や発光範囲を変化させることができる。【選択図】図１
2006143439.tif 000002
【特許請求の範囲】
【請求項１】
かご側ドアにセフティシューが設けられるエレベータ装置において、前記かご側ドアの前縁より突出した前記セフティシューの先端部分に発光部を備え、前記発光部は分割可能であることを特徴とするエレベータ装置。
【請求項２】
請求項１において、前記発光部は透過性材料で構成し、かつ内部に光源を設けたことを特徴とするエレベータ装置。
【請求項３】
請求項２において、前記透過性材料を乳白色とし前記光源の発光色を赤または青等とし、発光時の前記透過性材料の表面を内部の発光色にて光らせることを特徴とするエレベータ装置。
【請求項４】
請求項２において、前記透過性材料を赤や青色とし前記光源の発光色を白色または昼光色とし、発光時の前記透過性材料の表面を光らせることを特徴とするエレベータ装置。
【請求項５】
請求項１乃至４において、前記光源の発光タイミングをドアの開閉に同期させて制御することを特徴とするエレベータ装置。
【請求項６】
請求項５において、前記光源はドア閉時に点滅させることを特徴とするエレベータ装置。
【請求項７】
請求項５において、前記光源はドア開待機時に発光範囲を変化させ、ドア閉動作時は点滅させることを特徴とするエレベータ装置。
【発明の詳細な説明】
【技術分野】
【０００１】
本発明は、セフティシューに発光部を設けたエレベータ装置に関する。
【背景技術】
【０００２】
一般にエレベータのドアには、ドアの前縁より突出された状態でセフティシューが設けられており、このセフティシューを押した場合等によりセフティシューが後退すると、エレベータのドアが開く（又はドア閉しない）ことがよく知られている。しかし、乗客がエレベータに乗り込む際、急いでいたり混雑していた場合等にはドアとセフティシューとの区別が付き難くセフティシューに手が届かなかったり、あるいはドアが閉じかけていることに気が付かずドアに挟まれることがある。
【０００３】
このため、従来、セフティシューに発光素子を設け、乗り場側ドアに設けた透光部材を通して投光することにより、乗客にドア全閉直前であることを知らせていた（例えば、特許文献１参照）。また、セフティシューの先端部に内蔵された発光体が光を発することにより、乗客がセフティシューを認識することができるようにしていた（例えば、特許文献２参照）。
【０００４】
【特許文献１】特開平８−２５９１５６号公報
【特許文献２】特開平７−１３７９７０号公報
【発明の開示】
【発明が解決しようとする課題】
【０００５】
しかし、上記従来技術では、乗り場側ドア先端に透光部材を設ける特殊構造にする必要があることから、生産性に難点がある。また、セフティシューの先端部に内蔵した発光体の取り付けや交換のし易さについては考慮されていない。
【０００６】
本発明の目的は、構成が簡単で発光体の取付や交換が容易なセフティシューを備えたエレベータ装置を提供することにある。
【課題を解決するための手段】
【０００７】
上記目的を達成するために、かご側ドアの前縁より突出したセフティシューの先端部分に発光部を備え、発光部は分割可能とする。
【発明の効果】
【０００８】
本発明によれば、構成が簡単で取付が容易な発光部付きセフティシューが得られる。
【発明を実施するための最良の形態】
【０００９】
以下、本発明の実施例について、図面を用いて説明する。図１は、本発明の第１の実施例におけるエレベーター装置の正面図で、図２は本発明の第１の実施例におけるエレベーター装置の平面図である。エレベーターかごの出入口上部にドアハンガーケース１，ドアレール３を設けドアハンガー２により懸架されたかごドア５がかご敷居４によりガイドされ開閉する。かごドア５にはレバー６および７，スイッチ９により構成されたセフティシュー８が、その先端部がかごドア５の前縁から突出するように設けられている。乗場側ドア６２は、かごドア５と対向した建屋出入り口に設けれられており、乗場敷居６０と三方枠６１により乗場側出入口を構成している。
【００１０】
セフティシュー８はかごドア５が全開したときに先端部が乗場側ドア６２より出張るよう配置されており、セフティシュー８が乗客などにより押されて後退した場合に、ドアが開く（又はドア閉しない）ように検出スイッチ９を設けて制御している。
【００１１】
次に、セフティシュー８に設けた発光部１０についての詳細を図３，図４を用いて説明する。図３はセフティシュー本体の斜視図で、図４はセフティシュー８の一部に設けた発光部１０の平断面図を示す。セフティシュー８の一部を切り欠き、そこにポリカーボネート等の透過性樹脂製の発光部１０をセフティシュー８にネジ止め（図示せず）固定する。なお、透過性樹脂のみならず透過性材料ならば、発光部１０に適用できる。発光部１０の内部にはＬＥＤ等の光源１１を設ける。光源１１が制御装置（図示せず）からの指令により発光することによりセフティシュー８に設けた発光部１０を光らせて乗降客にセフティシューを認識させる。発光部１０は、セフティシュー８から分割可能であり、ＬＥＤ等の光源１１が故障した場合などには容易に取替えが可能である。さらに、発光部１０をセフティシューに着脱可能に取り付け、故障時に発光部１０を取り外した後、光源１１のみ取り替えて、再びセフティシューに取り付けるようにしても良い。なお、発光させる色としては視認性の点から赤色や青色が主に使用されるが、これはＬＥＤ等の光源１１を赤色または青色とし発光部１０の色を乳白色とすることで実現できる。あるいは発光部１０の色を赤色または青色の樹脂とし内部の光源１１は通常のランプ（昼光色または白色）とすることでも同様の効果を得ることができる。なお、光源１１は、複数個設けても良いし、球状や線状あるいは棒状など種々の形状のものを用いることができる。
【００１２】
光源１１の発光タイミングは、ドアの開閉に同期させて制御される。なお、発光させるタイミングや発光方法の一例としては発光部１０を全面的に光らせたり、点滅させたり、一端側から順次消灯（又は点灯）させる等がある。また、発光部内に光源１１を複数個設け、ドア開待機時に発光範囲を変化させ、ドア閉動作時に点滅させても良い。
【００１３】
図５〜図７により本発明の他の実施例を説明する。図５，図６は本発明の第２および第３の実施例におけるセフティシューの斜視図を示す。図７は、図５および図６における発光部の平断面図である。図５ではセフティシュー８を、先端部８ａおよび８ｂ，レバー６および７に取り付けられる支持部８ｃ、並びに発光部１０に分割構成しており、支持部
８ｃに対し先端部８ａおよび８ｂ、並びに発光部１０が着脱可能に取り付けられる構造となっている。なお、図５においては構造を判りやすく表現するため８ｃとの連結をしない状態での図示とした。セフティシュー８ａ，８ｂ，８ｃはアルミ成形品で発光部１０は図３と同様に樹脂（ポリカーボネート等）で構成されている。
【００１４】
図６では発光部１０をセフティシュー８ｃの全長と同じ長さとしセフティシュー全体を発光させることができるため、乗降客にセフティシューを認識させるだけでなく照明の一部として利用するなど意匠品としての利用も可能である。
【図面の簡単な説明】
【００１５】
【図１】本発明の第１の実施例を示すエレベーター全体の正面図である。
【図２】本発明の第１の実施例を示すエレベーター全体の平面図である。
【図３】セフティシュー本体の斜視図である。
【図４】本発明の第１の実施例を示す発光部の平断面図である。
【図５】本発明の第２の実施例を示す斜視図である。
【図６】本発明の第３の実施例を示す斜視図である。
【図７】本発明の第２，第３の実施例を示す平断面図である。
【符号の説明】
【００１６】
１…ドアハンガーケース、２…ドアハンガー、３…ドアレール、４…かご敷居、５…かごドア、６，７…セフティシューレバー、８…セフティシュー、９…検出スイッチ、１０…発光部、１１…光源、５０…乗りかご、６０…乗場敷居、６１…三方枠、６２…乗場側ドア。
【図１】
2006143439.tif 000003
【図２】
2006143439.tif 000004
【図３】
2006143439.tif 000005
【図４】
2006143439.tif 000006
【図５】
2006143439.tif 000007
【図６】
2006143439.tif 000008
【図７】
2006143439.tif 000009